(57)【特許請求の範囲】
【請求項１】
吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記ノズル部は、上部にノズル用取手部を備えたことを特徴とするふとん乾燥機。
【請求項２】
前記ノズル用取手部は、垂直断面形状がＴ字形状であることを特徴とする請求項１に記載のふとん乾燥機。
【請求項３】
前記ノズル部は、前記ノズル部における先端側に前記吹出口を設け、前記ノズル部における根元側に前記ノズル用取手部を備えたことを特徴とする請求項１または２に記載のふとん乾燥機。
【請求項４】
吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記本体ケースは、正面に本体用取手部を備え、前記本体用取手部は、前記ノズル用取手部より大きいことを特徴とするふとん乾燥機。
【請求項５】
重心が、前記本体用取手部より下方に位置し、前記本体ケースは、縦長形状で、前後方向が最も短い形状であることを特徴とする請求項４に記載のふとん乾燥機。
【請求項６】
前記ノズル部と前記ホースの連結部に、自在に回動連結する回動手段を備えたことを特徴とする請求項１から５のいずれかに記載のふとん乾燥機。
【請求項７】
前記収納部に前記ホースと前記ノズル部とを収納する場合に、前記ノズル部の天面より前記本体ケースの側面上端の一部または全体が低い位置に配置されていることを特徴とする請求項１から６のいずれかに記載のふとん乾燥機。
【請求項８】
前記本体ケースと前記ノズル部の色が異なることを特徴とした請求項１から７のいずれかに記載のふとん乾燥機。
【請求項９】
吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記収納部には、前記本体ケースの内面から前記ノズル部内側方向に傾斜したノズル設置台を備え、前記ホースと前記ノズルが前記収納部に収納されているときに、前記ノズル設置台と前記ノズル部が接触していることを特徴とするふとん乾燥機。
【請求項１０】
前記ノズル部が前記収納部に収納されているときに、前記吹出口の一部または全体が前記ノズル設置台で塞がれることを特徴とした請求項９記載のふとん乾燥機。
【請求項１１】
吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記収納部には、前記本体ケースの内面から下側に向かって前記ノズル部内側方向に傾斜した足部を持つ爪部と前記ノズル部に爪受け部を備えたことを特徴とするふとん乾燥機。
【請求項１２】
吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記収納部には、収納状態の前記ホースの円筒断面に対し傾斜がついたガイド部と、前記ノズル部にガイド受け部を備えたことを特徴とするふとん乾燥機。
【請求項１３】
吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記吹出口には、上下方向に回動可能な複数の風向変更板が上下方向に並べて設置され、前記風向変更板は水平方向に延びた回動軸と、前記回動軸から垂直方向に延びた風向板とを備え、前記風向板の回動軸に対し垂直方向の長さが、前記風向変更板各々で異なることを特徴としたふとん乾燥機。
【請求項１４】
前記風向板の回動軸に対し垂直方向の長さは、下部に配置された前記風向変更板より上部に配置された前記風向変更板の方が短いことを特徴とした請求項１３記載のふとん乾燥機。
【発明の詳細な説明】
【技術分野】
【０００１】
本発明は、ふとんやベッドの乾燥や暖めに使用されるふとん乾燥機に関するものである。
【背景技術】
【０００２】
従来より、この種のふとん乾燥装置は、例えば特許文献１に開示されるように、本体から発生する温風をホースで連通接続したエアマットに送風し、このエアマットでふとんを乾燥していた。  特許文献１に記載のふとん乾燥機は、エアマットを広げて掛けふとんと敷きふとんの間に配設した後、温風を本体からホースを通してエアマットに送り、送られた温風がエアマットから吹き出されて掛けふとんと敷きふとんの間を通過し、それぞれのふとんの湿気を除去して乾燥するものである。
【先行技術文献】
【特許文献】
【０００３】
【特許文献１】特開２０００−２７９６９７号公報
【発明の概要】
【発明が解決しようとする課題】
【０００４】
上記従来例では、ふとん乾燥機の本体内に、本体から供給された温風を吹き出してふとんを乾燥させるエアマットおよびエアマットを本体に接続するホースを収納する収納部を設けるとともに、本体の上端部に、収納部および本体の上部開口部を覆う開閉自在な収納蓋を設けた構成となっていた。これにより、ふとん乾燥を行う場合は、収納蓋を開け、本体内に収納されたエアマット及びホースを取り出し、エアマットを広げて掛けふとんと敷きふとんの間に配設した後、本体を駆動させるという手順で行わなければならないため、設置に手間がかかるという課題があった。
【０００５】
そこで本発明は、上記従来の課題を解決するものであり、使用感を向上させることを目的とするものである。
【課題を解決するための手段】
【０００６】
そして、この目的を達成するために、本発明は、吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記ノズル部は、上部にノズル用取手部を備えたことを特徴としたものであり、これにより所期の目的を達成するものである。
【発明の効果】
【０００７】
以上のように本発明は、吸気口と上部に開口部とを有した箱形状の本体ケースと、前記本体ケース内に設けたファンと、このファンの吹き出し空気を加熱するヒータ部と、このヒータ部によって加熱された空気の送風路である筒形状の屈曲自在なホースと、前記ホースの先端に設けたノズル部と、前記ノズル部と前記ホースとを収納できる空間である収納部とを備え、前記ノズル部は、吹出口を備え、前記開口部に着脱自在で、前記収納部に前記ホースと前記ノズル部とを収納する場合に、前記ノズル部が前記本体ケースの一部となり、前記ノズル部は、上部にノズル用取手部を備えたことを特徴とした。
【０００８】
これにより、ふとん乾燥をする場合は、本体ケースの一部である吹出口を備えたノズルを本体から取り出し、掛けふとんと敷きふとんの間にノズルを差し込むことで設置を完了することができるため、ふとん乾燥機をふとんに設置する操作が簡素化され、結果として使用感を向上させることができる。また、ノズル部は、上部にノズル用取手部を備えたので、本体ケースからノズル部を着脱し易くなるり、使用感を向上させることができる。
【図面の簡単な説明】
【０００９】
【図１】本発明の実施の形態のふとん乾燥機の斜視図
【図２】同ふとん乾燥機の概略断面図
【図３】同ふとん乾燥機の概略断面図
【図４】同ふとん乾燥機のふとん乾燥の実施状態を示す図
【図５】同ふとん乾燥機の斜視断面図
【図６】同ふとん乾燥機の部分斜視断面図
【図７】同ふとん乾燥機の背面斜視図
【図８】同ふとん乾燥機のノズル部を外した背面断面図
【図９】同ふとん乾燥機の断面図
【図１０】同ふとん乾燥機の斜視断面図
【図１１】同ふとん乾燥機の断面図
【図１２】同ふとん乾燥機の部分正面図
【図１３】同ふとん乾燥機の部分斜視図
【図１４】同ふとん乾燥機の部分断面図
【発明を実施するための形態】
【００１０】
以下、本発明の実施例について図面を参照しながら説明する。
【００１１】
（実施の形態）
図１は、本発明の実施の形態のふとん乾燥機の斜視図である。図２は、本発明の実施の形態のふとん乾燥機の断面図である。図３は、本発明の実施の形態のふとん乾燥機の断面図である。図３は、開口部３からノズル部１０を外した状態を示す図である。図１、２、３は、本体ケースの前面側から見た図である。
【００１２】
本発明の実施の形態のふとん乾燥機は、図１、図２および図３に示すように、本体ケース１が、箱形状で、側面には吸気口２を設け、上部には開口部３を備えている。本体ケース１の中央部には、水平方向に延びた仕切板部１Ａを備えている。仕切板部１Ａによって、本体ケース１内の空間が、本体ケース１の下部である下部空間１Ｂと、本体ケース１の上部である収納部１１とに分けられている。収納部１１は、本体ケース１の上部の開口部３と連通している。
【００１３】
この本体ケース１内の下部空間１Ｂには、送風手段とヒータ部７とを備え、収納部１１には、ホース８とノズル部１０とを備えている。
【００１４】
送風手段は、スクロール形状のケーシング部４と、このケーシング部４内に固定されたモーター部５と、このモーター部５によって回転するファン６とから構成している。この送風手段により吹き出された空気が、ヒータ部７によって加熱される。
【００１５】
ヒータ部７の風下側には、本体ケース１の開口部３に備えた筒形状の屈曲自在なホース８と、ホース８の先端には、吹出口９を備えたノズル部１０を備えている。
【００１６】
本実施形態における特徴は、収納部１１にホース８とノズル部１０とを収納する場合に、ノズル部１０が本体ケース１の一部となる点である。ノズル部１０の上面が、本体ケース１の天面の一部となる。
【００１７】
図４は、本発明の実施の形態のふとん乾燥機における、ふとん乾燥の実施状態を示す図である。ふとん乾燥をする場合は、ノズル部１０の上面が、本体ケース１の天面の一部なので、従来のような収納蓋を開ける必要がなく、本体ケース１の一部である吹出口９を備えたノズル部１０を本体ケース１から取り出し、図４に示すように、掛けふとん１５と敷きふとん１６の間にノズル部１０を差し込むことで設置することができる。さらに屈曲自在なホース８を備えているため、ベッドサイズの高さから床に敷いたふとんまで、容易にノズル部１０を差し込む高さを調整することができる。
【００１８】
また、ふとん乾燥終了後は、ふとんからノズル部１０を取り出し、本体ケース１の収納部１１にノズル部１０を設置することで本体ケース１に収納され、ノズル部１０の上面が、本体ケース１の天面の一部となるので、従来のような収納蓋を閉める必要がない。
【００１９】
これにより、ふとん乾燥機をふとんに設置する操作が簡素化され、結果として使用感を向上させることができる。
【００２０】
また、ノズル部１０は、上部にノズル用取手部１２を備えたことを特徴とする。
【００２１】
これにより、本体ケース１からノズル部１０を着脱し易くなるので、使用感を向上させることができる。さらに、ノズル部１０の上部にノズル用取手部１２を備えることで、ノズル部１０の上下方向の高さを大きくすることができる。これにより、ノズル部１０を掛けふとん１５と敷きふとん１６の間に設置したとき、ノズル用取手部１２が掛けふとん１５を持ち上げ、掛けふとん１５と敷きふとん１６との間に空間を作ることができるので、ノズル部１０の吹出口９から排出される風が掛けふとん１５と敷きふとん１６の間を行き渡り易くなる。結果として乾燥効率を向上させることができる。
【００２２】
また、ノズル用取手部１２は、垂直断面形状がＴ字形状であることを特徴とする。
【００２３】
これにより、ノズル用取手部１２に持ち手の掛かり部分ができるため、ノズル用取手部１２を掴み易くなり、本体ケース１からノズル部を着脱し易くなるので、使用感を向上させることができる。さらに、ノズル部１０を掛けふとん１５と敷きふとん１６の間に設置したとき、ノズル部１０の天面とノズル用取手部１２の天面の間に空間を大きく取ることができるため、ノズル部の吹出口９から排出される風が掛けふとん１５と敷きふとん１６の間を行き渡り易くなり、結果として乾燥効率を向上させることができる。
【００２４】
また、ノズル部１０における先端側に吹出口９を設け、ノズル部１０における根元側にノズル用取手部１２を備えたことを特徴する。すなわち、ノズル部１０は上から見ると長辺と短辺を有する長方形形状であり、ノズル部１０の短辺側の先端に吹出口９を設け、吹出口９と対する短辺方向にノズル用取手部１２を備えており、吹出口９とノズル用取手部１２との間に距離を有するものである。
【００２５】
ふとん乾燥を行う場合、ノズル用取手部１２を持ってノズル部１０を掛けふとん１５と敷きふとん１６の間にノズル部全体がふとんに覆われるように差し込んで設置するので、ノズル部１０における先端側に吹出口９を設け、ノズル部１０における根元側にノズル用取手部１２を備えたことで、ノズル用取手部１２の差し込み量が少なくても、吹出口９をふとんの中央部付近に設置することができる。これにより、ノズル部１０の差込量を少なくすることができるので、ふとん乾燥機をふとんに設置する操作が簡素化され、結果として使用感を向上させることができる。
【００２６】
また、ノズル部１０における根元側にノズル用取手部１２を備えたことで、ノズル用取手部１２と、ノズル部１０の上部と、掛けふとん１５との間に、空間を作ることができるので、ノズル部１０の吹出口９から排出される風が掛けふとん１５と敷きふとん１６の間を行き渡り易くなる。
【００２７】
図１に示すように、本体ケース１は、正面に本体用取手部１３を備え、本体用取手部１３は、ノズル用取手部１２より大きいことを特徴とする。本体用取手部１３は、本体ケース１を持ち運ぶ際に使用するものであり、本体ケース１の正面に本体用取手部１３を備え、ノズル用取手部１２より掴むところを大きくすることで、本体用取手部１３が目立ちやすく分かり易くなる。これにより、ノズル用取手部１２と違いを持たせることで、ノズル用取手部１２との誤認を防ぐことができ、結果として、使用感を向上させることができる。
【００２８】
図５は、本発明の実施の形態のふとん乾燥機の斜視断面図である。図５は、本体ケース１における右側から見た図である。
【００２９】
図１および図５に示すように、ふとん乾燥機の重心が、本体用取手部１３より下方に位置し、本体ケース１は、縦長形状で、前後方向が最も短い形状であることを特徴とする。すなわち、本体用取手部１３は、縦長形状の前後方向がもっとも短い形状である本体ケース１の正面側に配置している。本体用取手部１３より下方の下部空間１Ｂ内には、スクロール形状のケーシング部４と、このケーシング部内に固定されたモーター部５と、このモーター部５によって回転するファン６とから構成した送風手段と、この送風手段により吹き出された空気を加熱するヒータ部７を備えているため、ふとん乾燥機の重心が本体用取手部１３より下方に位置する構成となる。また、本体ケース１の前後方向の重心位置では、本体用取手部１３位置より後方側に位置する。この本体用取手部１３を持って本体ケース１を持ち運ぶ際、本体ケース１の後方側を使用者に向け、前面側に備えた本体用取手部１３を持って本体ケース１を持ち運ぶことができる。このとき、本体ケース１の重心位置が、本体用取手部１３より下方側、かつ後方側にあることで、本体用取手部１３を支点に垂直方向に重心が移動するため本体ケース１の下方側が使用者から遠ざかる方向に傾くこととなる。これにより、本体ケース１を持ち運ぶ際、本体ケース１と使用者が接触しにくくなる。結果として、持ち運び性が向上し、使用感を向上させることができる。
【００３０】
さらに、図５のように本体用取手部１３には傾斜部１４を備えている。これにより本体用取手部１３を持って本体ケース１を持ち運ぶ際、本体ケース１の下方側が使用者から遠ざかる方向に傾き易くなる。また、持ち手の指と傾斜部の接触面積が増えることで、持ち易さが向上する。結果として、持ち運び性が向上し、使用感を向上させることができる。
【００３１】
また、図６は、本発明実施の形態のふとん乾燥機のノズル部１０の斜視断面図である。図６は、本体ケース１における正面から見た図である。図６に示すように、ノズル部１０とホース８の連結部は、自在に回動連結するホースジョイント１７とノズルジョイント１８によって連結されることを特徴とする。
【００３２】
すなわち、ホース８は、円筒形状のホースジョイント１７に接続され、ノズル部１０は中央にホースジョイント１７の外形とほぼ同等の大きさの円筒形状の穴が開いているノズルジョイント１８に接続される。ノズルジョイント１８の中央の穴にホースジョイント１７が挿入され、ホースジョイント１７外形円周上に配置された凹形状のレール部１９とノズルジョイント１８の凸形状のレール受け部２０が入ることにより、ノズル部１０とホース８の連結部は、回動自在となる。
【００３３】
これにより、ノズル部１０を敷きふとん１６の間に設置したとき、敷きふとん１６の不安定な表面においても、ノズル部が回動することにより、その表面に対応した角度で安定して設置することができるので、ふとん乾燥機をふとんに設置する操作への安定性が増すことで、結果として使用感を向上させることができる。
【００３４】
また、図７は、本発明実施の形態のふとん乾燥機の背面斜視図である。図８は、本発明実施の形態のふとん乾燥機のノズル部１０を外した状態の背面斜視図である。
【００３５】
図７、図８に示すように、収納部１１にホース８とノズル部１０を収納する場合に、ノズル部１０の天面２１より本体ケース１の背面上端２２が低い位置に配置されていることを特徴とする。
【００３６】
これにより、ノズル部１０を収納部１１に設置する場合、本体ケース１の背面方向からノズル部１０を設置する際は、真上以外の斜め上からでも設置可能となり、ノズル部１０の着脱容易性が向上するので、ふとん乾燥機をふとんに設置する操作が簡素化され、結果として使用感を向上させることができる。
【００３７】
また、本体ケース１とノズル部１０の色が異なることを特徴とする。
【００３８】
これにより、ノズル部１０が、本体ケース１から着脱してふとんへ設置するユニットであることが認識しやすくなり、初めて使用する際に商品特徴を認識しやすくすることで、結果として、使用感を向上させることができる。
【００３９】
また、図９は、本発明の実施の形態のふとん乾燥機の断面図である。図９は、本体ケース１における右から見た図である。図８、図９に示すように、収納部１１には、本体ケース１の内面からノズル部１０内側方向に傾斜したノズル設置台２３をノズル部１０の中心に対し左右対称に備え、ホース８とノズル部１０が収納部１１に収納されているときに、ノズル設置台２３とノズル部１０が接触していることを特徴とする。
【００４０】
すなわち、ノズル部１０を収納部１１へ設置する際に、本体ケース１の正面側または背面側にノズル部１０がずれて挿入されても、傾斜したノズル設置台２３が滑らかにノズル部１０を正規の位置までガイドして挿入されることとなる。
【００４１】
これにより、本体正面方向、本体背面方向においてのノズル部１０と収納部１１の着脱容易性が向上するので、ふとん乾燥機をふとんに設置する操作が簡素化され、結果として使用感を向上させることができる。
【００４２】
また、図１０は、本発明実施の形態のふとん乾燥機の断面斜視図である。図１０は、本体ケース１における左側から見た図である。図８、図１０に示すように、ノズル部１０が収納部１１に収納されているときに、ノズル部１０の長辺側面の両面に配置された左右吹出口２４がノズル設置台２３で塞がれることを特徴とする。
【００４３】
これにより、ノズル部１０を掛けふとん１５と敷きふとん１６の間に設置したときは、左右吹出口２４があることで、吹出口９方向のみでなく、その垂直側面方向の両面にも風が排出することになるので、広範囲にふとん内に風を送ることができるため、結果としてふとんの乾燥効率を向上させることができる。また、ノズル部１０を本体ケース１に収納したときは、左右吹出口２４はノズル設置台２３に塞がれるため、吹出口９に風を集中され風量を増大できることにより、吹出口９のスポット風を利用した少量の衣類や靴の乾燥効率を向上することができる。
【００４４】
また、図１１は、本発明の実施の形態のふとん乾燥機の断面図である。本体ケース１における右から見た図である。図８、図１１に示すように、収納部１１には、本体ケース１の内面から下側に向かってノズル部１０内側方向に傾斜した足部２５を持つ爪部２６と、ノズル部に爪受け部２７を備えたことを特徴とする。
【００４５】
すなわち、ノズル部１０を収納部１１へ設置する際に、本体ケース１の正面側または背面側にノズル部１０がずれて挿入されても、傾斜した足部２５が滑らかにノズル部１０の爪受け部２７を爪部２６までガイドして嵌合することとなる。収納後は、爪部２６と爪受け部２７が嵌合することで、ノズル部１０は正規位置に安定して収納される。
【００４６】
これにより、ノズル部１０と収納部１１の着脱容易性を損なわずに、本体ケース１の持ち運び時などでも容易にノズル部１０が外れないような安定性を確保することができるので、結果として使用感を向上させることができる。
【００４７】
また、図１２は本発明実施の形態のふとん乾燥機の爪部２６近傍と爪受け部２７の正面図である。図８、図１２に示すように、収納部１１の爪部２６近傍には、収納状態のホース８の円筒断面に対し傾斜がついたガイド部２８と、ノズル部１０にガイド受け部２９を備えたことを特徴とする。
【００４８】
すなわち、ガイド部２８は、下に向かってお互いに近接する２本の逆ハの字形状で配置され、ガイド受け部２９はガイド部２８の内側に収納されるハの字形状となることにより、ノズル部１０を収納部１１へ設置する際に、本体ケース１の左右側にノズル部１０がずれて挿入されても、傾斜したガイド部２８が滑らかにガイド受け部２９を正規の位置までガイドして挿入されることとなる。
【００４９】
これにより、本体ケース１における左右方向においてのノズル部１０と収納部１１の着脱容易性が向上するので、ふとん乾燥機をふとんに設置する操作が簡素化され、結果として使用感を向上させることができる。
【００５０】
また、図１３は本発明実施の形態のふとん乾燥機の吹出口９近傍の斜視図である。図１３に示すように、吹出口９には、上下方向に回動可能な複数の風向変更板３０が上下方向に並べて設置され、風向変更板３０は水平方向に延びた回動軸３１と、回動軸３１から垂直方向に延びた風向板３２とを備え、風向板３２の回動軸３１に対し垂直方向の長さが、風向変更板３０各々で異なることを特徴とする。
【００５１】
これにより、ノズル部１０を収納部１１に設置したまま、吹出口９の風向を上下方向に風向変更ができるので、上方向の少量の衣類乾燥や下方向の靴乾燥といった乾燥機として機能を風向板３２を操作するだけになり手間が省けるので、結果として使用感を向上させることができる。また、風向板３２の長さが異なることで上方向または下方向に特化した風向の変更も可能となることで、吹出口９のスポット風を利用した少量の衣類または靴の乾燥効率を向上することができる。
【００５２】
また、図１４は本発明実施の形態のふとん乾燥機の風向変更板３０上方向時の吹出口９の断面図である。図１４は、本体ケース１における正面から見た図である。図１４に示すように、風向板３２の回動軸３１に対し垂直方向の長さは、下部に配置された風向変更板３０より上部に配置された風向変更板３０の方が短いことを特徴とする。
【００５３】
すなわち、図１４に示すように、ノズル部１０の天面２１へ水などがかかった場合に、風向板３２が上方向を向いていて、風向板３２を介してノズル部１０内へ水の浸入がしやすい条件においても、上部の風向板３２は、ノズル部１０の内側に収まることから、水の浸入を防ぐことができ、また下部に配置された長い風向板３２を動かすことで使い勝手も問題なく回動可能となる風向変更板３０を吹出口９に設置できる。
【００５４】
これにより、風向も変更でき、さらに水などがかかっても水の浸入を防ぐことができるので、結果として、安全性と使用感の両方を向上させることができる。
【産業上の利用可能性】
【００５５】
本発明にかかるふとん乾燥機は、ふとんやベッドの乾燥や暖めに使用されるふとん乾燥機等として有用である。
【符号の説明】
【００５６】
１    本体ケース
１Ａ  仕切板部
１Ｂ  下部空間
２    吸気口
３    開口部
４    ケーシング部
５    モーター部
６    ファン
７    ヒータ部
８    ホース
９    吹出口
１０    ノズル部
１１    収納部
１２    ノズル用取手部
１３    本体用取手部
１４    傾斜部
１５    掛けふとん
１６    敷きふとん
１７    ホースジョイント
１８    ノズルジョイント
１９    レール部
２０    レール受け部
２１    天面
２２    背面上端
２３    ノズル設置台
２４    左右吹出口
２５    足部
２６    爪部
２７    爪受け部
２８    ガイド部
２９    ガイド受け部
３０    風向変更板
３１    回動軸
３２    風向板
【図１】
0006617272.tif 000002
【図２】
0006617272.tif 000003
【図３】
0006617272.tif 000004
【図４】
0006617272.tif 000005
【図５】
0006617272.tif 000006
【図６】
0006617272.tif 000007
【図７】
0006617272.tif 000008
【図８】
0006617272.tif 000009
【図９】
0006617272.tif 000010
【図１０】
0006617272.tif 000011
【図１１】
0006617272.tif 000012
【図１２】
0006617272.tif 000013
【図１３】
0006617272.tif 000014
【図１４】
0006617272.tif 000015